(57)【要約】【課題】暗証コードをユーザー自身で変更でき、かつＡＣ電源を使用するリモコン式のドア施錠装置を提供すること。【解決手段】本発明のリモコン式ドア施錠システムは、ドア施錠装置（１）とリモコン（８）とにより構成される。ドア施錠装置（１）は、ロック駆動部とメモリを含む電子回路とが内蔵されている本体（１４）と、アンテナ（７）と、電源部（６）とからなる。リモコン（８）は、第一ボタン（９）と、第二ボタン（１１）と、ランプ（１０）とを有し、その内部には、電子回路と、電池と、アンテナとを内蔵している。第一ボタンを押すことにより、暗証コードを含む解錠信号が、前記ドア施錠装置に送信され、その暗証コードが、メモリに格納されている複数の暗証コードと比較される。それが、真正なものであることが検証されると、ロック駆動部が、施錠を解除する。第一ボタンと前記第二ボタンの操作により、暗証コードを新たなものに変更することが可能である。【選択図】    図１
2004150138.tif 000002
【特許請求の範囲】
【請求項１】
ドアロック装置（１）とリモコン（８）とにより構成されるリモコン式ドアロックシステムであって、
前記ドアロック装置（１）が、ロック駆動部とメモリを含む電子回路とが内蔵されている本体（１４）と、アンテナ（７）と、電源部（６）とからなり、
前記リモコン（８）が、第一ボタン（９）と、第二ボタン（１１）と、ランプ（１０）とを有し、その内部には、電子回路と、電池と、アンテナとを内蔵し、
前記第一ボタンを押すことにより、暗証コードを含む解錠信号が、前記ドアロック装置に送信され、その暗証コードが、前記メモリに格納されている複数の暗証コードと比較され、それが真正なものであることが検証されると、前記ロック駆動部が、ロックを解除し、かつ
前記第一ボタンと前記第二ボタンの操作により、前記暗証コードを新たなものに変更することが可能であるリモコン式ドアロックシステム。
【請求項２】
電源部（６）が、ＡＣ−ＤＣ変換器により構成されている、請求項１に記載のリモコン式ドアロックシステム。
【請求項３】
ロック装置（１）の本体（１４）には、その両側に、取り付け穴（４）が、設けられていて、かつその一端には、ロック棹（２）が本体（１４）から突出可能に設けられている請求項１に記載のリモコン式ドアロックシステム。
【請求項４】
前記ロック駆動部が、ドアロック装置（１）に内蔵されているモータを駆動させて、ロック棹（２）を、本体（１４）から突出させたり、引っ込めたりさせる請求項１に記載のリモコン式ドアロックシステム。
【請求項５】
前記第一ボタンを押すことにより、ロック解除信号が、電子回路により生成され、アンテナを介してドアロック装置１に送られる請求項１に記載のリモコン式ドアロックシステム。
【発明の詳細な説明】
【発明の属する技術分野】
本発明は、玄関のドアなどに使用される、リモコン式ドアロックシステムに関する。
【従来の技術】
この種のドアロックシステムは、戸締まり用リモコン錠として、特開２００１−３２５８５により公知である。この公開公報には、玄関用ドアのロック装置に用いられた戸締まり用リモコン錠が、一例として、開示されている。この戸締まり用リモコン錠においては、錠本体に施錠片として備えたラッチまたはクレセントを、それぞれバッテリアラーム報知手段を備えた電池付きの送信手段と受信手段とを用いて、リモートコントロールにより施錠、解錠操作出来るようにされている。また、電池の残存容量の低下をバッテリーアラーム報知部により使用者に報知させると共に、通信手段に備えた緊急解錠棹を使用して、一時的に施錠片の作動操作を行えるようにしている。
【発明が解決しようとする課題】
この戸締まり用リモコン錠においては、電源供給が電池により行われている。そのため、ユーザーは、常に電池の容量をチェックしていなければならない。また、電池が消耗した場合には、電池を取り替えなければならない。したがって、この戸締まり用リモコン錠は、取り扱いが面倒であると言う問題を有していた。さらに、この戸締まり用リモコン錠を購入したユーザーは、自分自身で、暗証コードの変更を行うことは不可能であった。このため、ユーザーが、リモコンを紛失した場合には、ユーザーは、そのリモコンを購入した販売店に連絡し、新たな暗証コードがセットされたリモコンを入手しなければならなかった。
本発明の目的は、これら二点の問題点を解決したリモコン式のドアロック装置を提供することである。
【課題を解決するための手段】
上記目的は、ドアロック装置とリモコンとにより構成されるリモコン式ドアロックシステムであって、
前記ドアロック装置が、ロック駆動部とメモリを含む電子回路とが内蔵されている本体と、アンテナと、電源部とからなり、
前記リモコンが、第一ボタンと、第二ボタンと、ランプとを有し、その内部には、電子回路と、電池と、アンテナとを内蔵し、
前記第一ボタンを押すことにより、暗証コードを含む解錠信号が、前記ドアロック装置に送信され、その暗証コードが、前記メモリに格納されている複数の暗証コードと比較され、それが真正なものであることが検証されると、前記ロック駆動部が、施錠を解除し、かつ
前記第一ボタンと前記第二ボタンの操作により、前記暗証コードを新たなものに変更することが可能であるリモコン式ドアロックシステムにより、達成される。
【実施例】
本発明のドアロックシステムは、図１に示されるように、ドアロック装置１とリモコン８から構成されている。ドアロック装置１は、本体１４と、アンテナ７と、電源部６とからなる。電源部６は、ＡＣ−ＤＣ変換器により構成されていて、家庭用１００Ｖ交流電圧を１２Ｖ直流電圧に変換する。ドアロック装置１の本体１４には、その両側に、取り付け穴４が、４つ設けられている。その一端には、ロック棹２が本体１４から突出可能に設けられている。ロック棹２には、つまみ３が設けられていて、これにより、ロック棹２を手動で移動させることが出来る。ロック駆動部が、ドアロック装置１に内蔵されているモータを駆動させ、ロック棹２を、本体１４から突出させたり、引っ込めたりさせる。ドアロック装置１の本体１４には、ロック駆動部と、電子回路とが内蔵されている。電子回路は、リモコン８からの命令を分析して、ロック棹２を移動させる信号をロック駆動部に与える。電子回路は、演算処理部とメモリを有する。演算処理部は、リモコン８からの命令の分析を行い、それが、正しくロックを解錠させると言う命令であることが確認されると、ロック駆動部にロック解除信号を送り、ロック棹２を本体２内に引き込ませる。メモリには、１２００通りの暗証コードとそれに対応する信号波形が、格納されている。
リモコン８は、第一ボタン９と、第二ボタン１１と、ランプ１０とを有する。リモコン８の内部には、電子回路と、電池と、アンテナが内蔵されている。第一ボタンを押すことにより、ロック解除信号が電子回路により生成され、アンテナからドアロック装置１に送られる。
図２に示されるように、本発明のドアロック装置１は、ねじ１５によりドアの内側に取り付けられる。ユーザーが家にいる場合には、ロックつまみ３を使って、ロック棹１３を左右に移動させることにより、施錠したり解錠したりさせることが出来る。
ユーザーが、外出先から帰宅して、このドアの鍵を解錠しようとする場合には、リモコン８をドアに向けて、第一ボタン９を押す。前述したように、これによりロック解除信号が、生成され、アンテナを介してドアロック装置１に送られる。アンテナ７により受信されたこのロック解除信号は、電子回路により、真正なものか否かが検証される。これが、真正なものであることが確認されると、ロック解除信号が、ロック駆動部に送られ、これがモーターを駆動し、ロック棹２が、棹保持穴１３から引き抜かれる。
もし、ユーザーが、複数所有しているリモコン８の内の一つを紛失したりした場合には、紛失したリモコンが他人により悪用されることを防ぐために、ユーザーは、今まで使用されていた暗証コードを、新たなものに変更することが出来る。暗証コードを変更するためには、まず、第一ボタン９と第二ボタン１１とを同時に５秒以上押す。すると、リモコン８内の電子回路が、暗証コードの変更要請信号をドアロック装置１に送信する。この信号の受信が確認されると、ドアロック装置１の電子回路は、現在使用されている暗証コードを無効にし、そして暗証コードの変更許可信号をリモコン８に送る。この変更許可信号が受信されると、リモコン８のランプ１０が点滅して、ユーザーに暗証コードの変更が可能になったことを知らせる。この状態で、ユーザーが第二ボタン１１を押すと、暗証コードを新たなものに変更する信号が、ドアロック装置１に送られる。この信号を受信したドアロック装置１の電子回路は、未だ使用されたことの無い暗証コードをメモリから抽出して、それを新たな暗証コードに設定する。同時に、ドアロック装置１の電子回路は、その新たな暗証コードをリモコン８に送信する。この新たな暗証コードの受信がリモコン８により確認されると、ランプ１０は、その点滅を停止する。
【発明の効果】
本発明のリモコン式ドアロックシステムによると、以下のような効果が得られる。
万が一、ユーザーが、リモコンを紛失した場合であっても、リモコンの暗証コードをユーザー自身で変更することができるので、従来のシステムのように、販売店に暗証番号の変更を依頼する必要がない。
また、鍵本体の電源が、ＡＣアダプタによって供給されるため、電池切れによって鍵が作動しなくなることがなく、また電池を定期的に取り替える手間も省ける。
【図面の簡単な説明】
【図１】本発明のリモコン式ドアロックシステムを示す。
【図２】本発明のリモコン式ドアロックシステムをドアに設置した状態を示す。
【符号の説明】
１  リモコン式ドアロックシステム
２  ロック棹
３  ロックつまみ
４  取り付け穴
５  ケーブル
６  電源部
７  アンテナ
８  リモコン
９  第一ボタン
１０  ランプ
１１  第二ボタン
１２  ドア外枠
１３  棹保持穴
１４  本体
【図１】
2004150138.tif 000003
【図２】
2004150138.tif 000004